(57)【要約】【課題】簡素な構成で身体への負担を軽減し作業性を向上させる。【解決手段】作業補助具２は、腰に適合させて締め回すベルト３と、一端がこのベルト３の背面側に取付金具６Ａ、６Ｂを介して取り付けられ、他方の自由端に手を差し入れ可能な差し入れ部１１が設けられたゴムチューブ５Ａ、５Ｂとを備えている。ゴムチューブ５Ａ、５Ｂは、身長にあわせて自由端の長さが調整可能になっている。ゴムチューブ５Ａ、５Ｂは肩に掛け回され、手を差し入れ部１１に差し入れて用いられる。左右の各ゴムチューブ５Ａ、５Ｂには、背中に面した部位に肩ずれ防止具１３が設けられる。肩ずれ防止具１３は、両ゴムチューブ５Ａ、５Ｂを繋ぎ両者の距離を調整できるようになっている。肩ずれ防止具１３は、ゴムチューブ５Ａ、５Ｂに沿って変位するようになっている。【選択図】図１
2006225145.tif 000002
【特許請求の範囲】
【請求項１】
腰に適合させて締め回すベルトと、一端がこのベルトの背面側に取り付けられ、他方の自由端に手を差し入れ可能な差し入れ部が設けられ、少なくとも一部に弾性伸縮部を有する助勢部材とを備え、この助勢部材を肩に掛け手を差し入れ部に差し入れて用いることを特徴とする作業補助具。
【請求項２】
助勢部材は、可撓性を有する紐状部材により構成され、ベルト背面側の左右に取付具を介して自由端の長さを調整可能に取り付けられることを特徴とする請求項１に記載の作業補助具。
【請求項３】
助勢部材には、背中に面した部位に左右の助勢部材を繋いで両者の距離を調整可能とし、助勢部材が肩から脱落するのを防止する肩ずれ防止具を設けるとともに、この肩ずれ防止具を両助勢部材に沿って変位可能としたことを特徴とする請求２に記載の作業補助具。
【発明の詳細な説明】
【技術分野】
【０００１】
本発明は、作業補助具に関し、特に、重い荷物を上げ下ろしする作業に用いられる差魚補助具に関するものである。
【背景技術】
【０００２】
従来、作業補助具として、非伸縮性の紐の両端に伸縮性の紐の各端部をそれぞれ繋ぎ、２つのループをつくり、これら２つのループの非伸縮性紐部分のほぼ中央部を繋いでたすき状に形成し、伸縮性紐部分のほぼ中央部に、運搬する物体にあったフックを取り付けた重量物持ち上げベルトが知られている（特許文献１参照）。
【特許文献１】実開平２−１３２０１３号公報（第２頁、第１図）
【発明の開示】
【発明が解決しようとする課題】
【０００３】
しかしながら、上記従来の作業補助具では、重量物を持ち上げる際、フックを荷物に引っかけ。肩と手にかかる重さを適宜分配し、適当に重さを振り分けながら持ち上げるようにしているため、手で支えきれない重さの場合、肩に重さが集中してしまうきらいがあり、無理をすると体の上部に負荷が集中し、それを支えるために腰に過度の負担がかかってしまうという問題がある。
【０００４】
本発明は、上記課題を解決するためになされたもので、重量物を持ち上げる際の負荷を、弾性を利用して軽減させ、しかも、この負荷を体の複数の部位で分散させ、作業の負担を軽減させる作業補助具を提供することを目的とするものである。
【課題を解決するための手段】
【０００５】
本発明に係る作業補助具は、腰に適合させて締め回すベルトと、一端がこのベルトの背面側に取り付けられ、他方の自由端に手を差し入れ可能な差し入れ部が設けられ、少なくとも一部に弾性伸縮部を有する助勢部材とを備え、この助勢部材を肩に掛け手を差し入れ部に差し入れて用いるようにしたものである。
【０００６】
本発明に係る作業補助具では、腰に適合させて締め回すベルトと、一端がこのベルトの背面側に取り付けられ、他方の自由端に手を差し入れ可能な差し入れ部が設けられ、少なくとも一部に弾性伸縮部を有する助勢部材とを備え、この助勢部材を肩に掛け手を差し入れ部に差し入れて用いるようにしたことにより、重量物を持ち上げる際、助勢部材を肩に掛け、差し入れ部に手を差し入れ、助勢部材の弾発力に抗して重量物を持ち、そのまま持ち上げると、助勢部材の上部が肩に載せられているので、助勢部材の弾発復帰力が上方へ付勢する力となり、腕にかかる重量物の負荷が減じられる。一旦、重量物が持ち上げられると、重量物の負荷は、手と、助勢部材の肩に載った部位と、助勢部材が接続されたベルトとに分散される。このため、腰に対する負担が軽減され、重量物を持ち上げる作業を楽に行うことができる。
【０００７】
また、請求項２に係る作業補助具は、助勢部材は、可撓性を有する紐状部材により構成され、ベルト背面側の左右に取付具を介して自由端の長さを調整可能に取り付けられるようにしたものである。
【０００８】
請求項２に係る作業補助具では、助勢部材は、可撓性を有する紐状部材により構成され、ベルト背面側の左右に取付具を介して自由端の長さを調整可能に取り付けられるようにしたことにより、左右の両手を助勢部材の差し入れ部に差し入れることができるので、重量物の負荷がバランス良く軽減される。また、助勢部材の長さが調整できるので、作業者の身長に適合させて用いることができる。
【０００９】
さらに、請求項３に係る作業補助具は、助勢部材には、背中に面した部位に左右の助勢部材を繋いで両者の距離を調整可能とし、助勢部材が肩から脱落するのを防止する肩ずれ防止具を設けるとともに、この肩ずれ防止具を両助勢部材に沿って変位可能としたものである。
【００１０】
請求項３に係る作業補助具では、助勢部材には、背中に面した部位に左右の助勢部材を繋いで両者の距離を調整可能とし、助勢部材が肩から脱落するのを防止する肩ずれ防止具を設けるとともに、この肩ずれ防止具を両助勢部材に沿って変位可能としたことにより、左右の両手を前後左右に動かしても、助勢部材が肩から外れることがない。また、肩ずれ防止具により背中側で助勢部材間の距離を縮めると、作業者の肩幅より左右に幅が広い荷物を、助勢部材の弾発力に抗して両手で掴むと、肩ずれ防止具を中心に助勢部材を体の縦中心（背骨に相当する線）に向かって付勢する力が働き、荷物を確実に掴みやすくなる。さらに、肩ずれ防止具を両助勢部材に沿って変位させることができるので、作業者の身長に適合させて用いることができる。
【発明の効果】
【００１１】
本発明に係る作業補助具は、腰に適合させて締め回すベルトと、一端がこのベルトの背面側に取り付けられ、他方の自由端に手を差し入れ可能な差し入れ部が設けられ、少なくとも一部に弾性伸縮部を有する助勢部材とを備え、この助勢部材を肩に掛け手を差し入れ部に差し入れて用いるようにしているので、重量物持ち上げの際の負荷を軽減して、作業効率を向上させることができ、しかも、身体への負担を軽くすることができる。
【発明を実施するための最良の形態】
【００１２】
簡素な構成で身体への負担を軽減し作業性を向上させるという目的を、腰に適合させて締め回すベルトの背面側に、弾性を有する助勢部材の一端を取り付け、他方の自由端に手を差し入れ可能な差し入れ部を設けて構成することにより実現した。
【実施例１】
【００１３】
以下、図面に示す実施の形態により本発明を説明する。図１ないし図３はそれぞれ本発明の一実施例に係る作業補助具を示す全体説明図、正面図および背面図である。本実施の形態に係る作業補助具２は、図１に示すように、作業者の腰に適合させて長さを調整し、バックル４により締め回して係止される非伸縮性のベルト３を備えている。このベルト３の背面側３Ａの左右には、所定の距離Ｄ１を隔ててゴムチューブ（助勢部材）５Ａ、５Ｂが取付金具（取付具）６Ａ、６Ｂを介してベルト３の長手方向に対し直角に取り付けられる。取付金具６Ａ、６Ｂは、内部にゴムチューブ５Ａ、５Ｂの一端が挿通されると長さを調整して係止するようになっている。取付金具６Ａ、６Ｂ間の間隔Ｄ１は、あまり広くなりすぎないよう、数センチメートルから十数センチメートルとすることが好ましい。
【００１４】
これら取付金具６Ａ、６Ｂは、図４の（Ａ）に示すように、ベルト３に向き合う面に立設されたねじ軸７と、このねじ軸７に螺合し、一面に周方向爪部８が形成された円板状雌ねじ９とを備えている。これら取付金具６Ａ、６Ｂは、ねじ軸７をベルト３に刺し通し、露出端から雌ねじ９を螺着するようになっている。
【００１５】
ゴムチューブ５Ａ、５Ｂの自由端はそれぞれ、チューブを切り開いたシート状に形成され、この切り開かれた部位にはゴムチューブ５Ａ、５Ｂの延長方向に沿って複数のスリット１０が穿設される。このスリット１０には、指が差し入れられるようになっており、スリット１０の形成された切り開き部が差し入れ部１１となっている。この差し入れ部１１は、指を差し入れて作業すると、スリット１０に押し開く力が作用するので、強化ゴムを複数枚重ねて形成される。スリット１０が破り開かれることがないようになっている。
【００１６】
ゴムチューブ５Ａ、５Ｂの肩に接触する部位には、肩当てパッド１２が設けられる。肩パッド１２は図示しない取付け具によりゴムチューブ５Ａ、５Ｂに取り付けられる。この肩パッド１２は、体の大きさ（身長）によりゴムチューブ５Ａ、５Ｂに沿って位置を変更できるようになっている。肩パッド１２と取付金具６Ａ、６Ｂとの間のゴムチューブ５Ａ、５Ｂには、すなわち、作業者の背中に面したゴムチューブ５Ａ、５Ｂには、肩ずれ防止部具１３が設けられる。この肩ずれ防止具１３は、各ゴムチューブ５Ａ、５Ｂに取り付けられ、ゴムチューブ５Ａ、５Ｂに沿って変位可能で所望の位置で係止される可動金具１４Ａ、１４Ｂを備えている。可動金具１４Ａ、１４Ｂはそれぞれ、ゴムチューブ５Ａ、５Ｂが上下方向に通る筒状の通路と、平帯状非伸縮性の紐が横方向（左右方向）に通る筒状の通路とを備えており、図示しない係止機構により、ゴムチューブ５Ａ、５Ｂや非伸縮性紐１５を所望の位置でロックするようになっている。これら可動金具１４Ａ、１４Ｂの内側面（背中に向き合う面）はほぼ平坦に形成され、背中に当たっても異物感がないようになっている。この肩ずれ防止具は１３は、作業者の身長にあわせ、可動金具１４Ａ、１４Ｂを肩パッド１２と取付金具６Ａ、６Ｂとの間の適当な位置で同じ高さでロックする。次に、非伸縮性紐１５を両可動金具１４Ａ、１４Ｂ間に差し入れ、体（背中）の大きさに応じて可動金具１４Ａ、１４Ｂ間の横方向の距離を適切に設定し、図示しない係止機構により非伸縮性紐１５をロックするようになっている。
【００１７】
次に、上記実施例に係る作業補助具２の作用について説明する。この実施例に係る作業補助具２は、まず、体の大きさ（身長）にあわせて、取付金具６Ａ、６Ｂによりゴムチューブ５Ａ、５Ｂの自由端の差し入れ部１１の長さを調整してベルト３に固定する。さらに、作業補助具２は、可動金具１４Ａ、１４Ｂと肩パッド１２をゴムチューブ５Ａ、５Ｂの適当な位置に取り付けて係止する。次に、可動金具１４Ａ、１４Ｂに差し入れられた非伸縮性紐１５を背中の大きさに合わせて調整し、取付金具６Ａ、６Ｂ間の間隔Ｄ１とほぼ同じか、その間隔Ｄ１より数センチ程度長く撮るように設定し、紐１５を固定する。次に、ゴムチューブ５Ａ、５Ｂを肩に掛け回して、ゴムチューブ５Ａ、５Ｂの自由端に形成された差し入れ部１１のスリット１０に指（例えば、人差し指、中指、薬指）を差し入れる。このようにして、作業補助具２を体に装着すると、図５に示すように、両手でゴムチューブ５Ａ、５Ｂを引き延ばし、重量物を手で掴み、持ち上げる。すると、指の根元からゴムチューブ５Ａ、５Ｂを弾発力に抗して予め引き延ばしているため、持ち上げると同時にゴムチューブ５Ａ、５Ｂの反発力により、重量物の重さはゴムチューブ５Ａ、５Ｂを介して可動金具１４Ａ、１５Ｂに支持されるので、腕にかかる力が反発力の分減少する。しかも、可動金具１４Ａ、１５Ｂにかかる力も、取付金具６Ａ、６Ｂを介してベルト３に伝えられ、体の複数箇所で分散されるので、腰や腕に力が集中することがなく、楽に重量物を持ち上げることができる。さらに、荷物（重量物）の左右幅に対し、可動金具１４Ａ、１５Ｂ間の距離が短いと、両手でゴムチューブ５Ａ、５Ｂを引き延ばして荷物（重量物）を手で掴み、持ち上げる際に、可動金具１４Ａ、１５Ｂが掴んだ手の位置よりも、体の縦中心（背骨に相当する線）側に位置することになるので、ゴムチューブ５Ａ、５Ｂの反発力により掴んだ手を内側へ向かせる力が働く。このため、荷物が落下しにくくなり、荷物を確実に掴みやすくなる。
【００１８】
本発明者らは、上記実施例に基づいて実際に作業補助具を試作して実験を行った。ゴムチューブは自転車の車輪に用いられるゴムチューブを用いた。このゴムチューブの反発係数は３３．３kgf/mであり、１kgfの力を加えると３cmの伸びが認められた。実際には、両手で掴んだ重量物の重さを１０kgf軽減できることがわかった。
【００１９】
なお、上記実施例では、取付金具６Ａ、６Ｂはねじ軸７と取付円板９とによりベルト３に取り付けるようにしているがこれに限られるものではなく、図４の（Ｂ）に示すように、取付金具のベルト３に向かい合う面の上下両端に折り曲げ部を形成し、この上下の折り曲げ部によりベルト３に取り付けるようにしてもよいし、適宜他の取り付け方を用いてもよいことは言うまでもない。さらに、上記実施例では、助勢部材としてゴムチューブ５Ａ、５Ｂを用いているがこれに限られるものではなく、弾性を有する助勢部材であって、可撓性を備えた紐状部材であればよく、断面矩形の紐状ゴムや、一部が弾性を有し、他部が非伸縮性の部材から構成されるものでもよい。また、助勢部材は、全体をゴムチューブ５Ａ、５Ｂで構成しているがこれに限られるものではなく、肩ずれ防止具１３からベルト３側の下部を非伸縮性材で構成してもよい。差し入れ部１１を、平坦部に指が差し入れられるスリット１０を形成して構成するようにしているが、これに限られるものではなく、手が確実に保持されるものであれば、例えば、手袋形状や筒形状に形成してスリットを形成し指を差し入れるようにしてもよいし、指が差し入れられる別体の差し入れ部を取り付けるようにしてもよい。
【図面の簡単な説明】
【００２０】
【図１】本発明の一実施例に係る作業補助具を示す全体説明図である。（実施例１）
【図２】図１の作業補助具の正面図である。
【図３】図１の作業補助具の背面図である。
【図４】（Ａ）、（Ｂ）はそれぞれ取付金具とその変形例を示す斜視図である。
【図５】図１の作業補助具の使用状態を示す説明図である。
【符号の説明】
【００２１】
２  作業補助具
３  ベルト
５Ａ、５Ｂ  ゴムチューブ（助勢部材）
１１  差し入れ部
【図１】
2006225145.tif 000003
【図２】
2006225145.tif 000004
【図３】
2006225145.tif 000005
【図４】
2006225145.tif 000006
【図５】
2006225145.tif 000007